(57)【特許請求の範囲】
【請求項１】
吸込口から吸気して吹出口に送風する空気流路に送風機を設けた本体と、この本体の空気流路に設けられるヒーター及び加湿部とを備え、前記空気流路に設けられる前記ヒーターに前記送風機により前記吸込口から吸い込まれた空気が上から下方向に送られ、前記ヒーターの上流側の前記ヒーター上部に設けられる上流側温度過昇防止装置と、前記ヒーターの下流側の前記ヒーター下部の側方に設けられる下流側温度過昇防止装置とを設けた気化式加湿機。
【発明の詳細な説明】
【０００１】
【発明の属する技術分野】
本発明は、水槽の水を吸い上げた加湿部にヒーターで加熱した温風を接触させて気化し加湿する気化式加湿機に関する。
【０００２】
【従来の技術】
近年、暖房機の普及に伴ない、室内空気が乾いた状態の空気となり、人体に悪影響を及ぼすことから適当な湿度を維持するため加湿機を使用することが多くなってきている。
【０００３】
従来、この種の気化式加湿機の一例として出願人が先に出願した特願２０００−２４９３４９号があった。以下、その構成について図１６を参照しながら説明する。
【０００４】
図に示すように、本体１０１内に送風機１０２を設けて形成された空気流路１０３にヒーター１０４及び加湿部１０５を設け、加湿部１０５を着脱自在に設けた水槽１０６を本体１０１に着脱自在に設け、吹出口１０７から加湿空気を吹き出すように構成していた。
【０００５】
【発明が解決しようとする課題】
このような従来の気化式加湿機では、吹出口１０７から吹き出される加湿空気の温度が低かったため、室内を暖房しているときに使用した場合には室内温度が低下するという不具合が生じる恐れがあるという課題があり、吹き出す加湿空気の温度を高めることが要求されている。
【０００６】
本発明は、上記課題を解決するもので、加湿空気温度を高め環境の悪化を防止することができるとともに、安全性を高めることのできる気化式加湿機を提供することを目的としている。
【０００７】
【課題を解決するための手段】
本発明の気化式加湿機は上記目的を達成するために、吸込口から吸気して吹出口に送風する空気流路に送風機を設けた本体と、この本体の空気流路に設けられるヒーター及び加湿部とを備え、前記空気流路に設けられる前記ヒーターに前記送風機により前記吸込口から吸い込まれた空気が上から下方向に送られ、前記ヒーターの上流側の前記ヒーター上部に設けられる上流側温度過昇防止装置と、前記ヒーターの下流側の前記ヒーター下部の側方に設けられる下流側温度過昇防止装置とを設けた構成としたものである。
【０００８】
本発明によれば、加湿空気温度を高め環境の悪化を防止することができるとともに安全性を高めることのできる気化式加湿機が得られる。
【０００９】
【発明の実施の形態】
本発明は、吸込口から吸気して吹出口に送風する空気流路に送風機を設けた本体と、この本体の空気流路に設けられるヒーター及び加湿部とを備え、前記空気流路に設けられる前記ヒーターに前記送風機により前記吸込口から吸い込まれた空気が上から下方向に送られ、前記ヒーターの上流側の前記ヒーター上部に設けられる上流側温度過昇防止装置と、前記ヒーターの下流側の前記ヒーター下部の側方に設けられる下流側温度過昇防止装置とを設けたものであり、吹出口から放散される加湿空気の温度を高め環境が悪化するのを防止することができるとともに安全性を高めることができるという作用を有する。
【００１０】
以下、本発明の実施例について図面を参照しながら説明する。
【００１１】
【実施例】
（前提例１）
図１及び図２に示すように、後面に設けた吸込口１から吸気して天面に設けた吹出口２に送られる空気流路３に送風機４を設けた本体５と、本体５の空気流路３に従来のヒーター容量１９０Ｗに対し、ヒーター容量を略１．５倍の３３０Ｗに大きくしたヒーター６及び加湿部７を設け、加湿部７を水槽８に着脱自在に設け、水槽８に水を供給する給水タンク９を設け、ヒーター６の４周に通風が可能となるように本体５内の部材より遠ざけて配設し構成する。
【００１２】
上記構成において、気化式加湿機を運転すると、送風機４により吸込口１１から吸い込まれた空気が空気流路３に送られ、空気流路３に設けたヒーター６の４面に沿い流れて加熱されるとともに、ヒーター６が対向する部分の加湿部７も加熱される。
【００１３】
一方、ヒーター６により加熱され、空気流路３内を流れる温風は水槽８の水を吸い上げている加湿部７を通り水分が気化され、加湿された状態の温風が吹出口２より吹き出されて加湿されることとなる。
【００１４】
このように本発明の実施例１の気化式加湿機によれば、吸込口１から吸気して吹出口２に送風する空気流路３に送風機４を設けた本体５の空気流路３に設けられるヒーター容量を略１．５倍に大きくしたヒーター６及び加湿部７を設け、空気流路３に設けられるヒーター６を４周に通風が可能となるように設けているので、ヒーター６の周囲４面を通る空気がヒーター６を通過して加熱された温風を囲み、周囲温度の上昇が８０℃から６０℃に緩和され、安全性が高められるとともに、容量の大きいヒーター６を通過することにより加熱される温風温度が高められ室内に放散される加湿空気温度が高くなることにより暖房時における室内温度の低下がまぬがれ環境が悪化するのが防止できる。
【００１５】
（実施例１）
図３〜図６に示すように、加湿部７が設けられる水槽８Ａと、水槽８Ａと連通し、加湿部７に送られる温風が接するように加湿部７の前方に設けられる貯水部１０とを設け、貯水部１０の加湿部７寄りに貯水部１０内に溜まった水が温風の気流により移動するのを抑制するリブ１１を設け構成する。
【００１６】
上記構成において、気化式加湿機を運転すると、送風機４により吸込口（図示せず）から吸い込まれた空気が空気流路３に送られ、空気流路３に設けたヒーター６により加熱され、加熱された温風が加湿部７の前方に設けられている貯水部１０に向かい送風され、貯水部１０により案内されて温風は水槽８Ａの水を吸い上げている加湿部７側に送風され、水分が気化され加湿された状態の温風が吹出口２より吹き出されて加湿される。
【００１７】
そして、ヒーター６により加熱された温風が貯水部１０に直接吹き付けられるが、貯水部１０には水槽８Ａと連通し、水槽８Ａの水の一部で表面を覆っていることにより貯水部１０が高温になることがなくなる。
【００１８】
このように本発明の実施例２の気化式加湿機によれば、加湿部７が設けられる水槽８Ａと、水槽８Ａと連通し、加湿部７に送られる温風が接するように加湿部７の前方に設けられる貯水部１０とを設けたので、ヒーター６により加熱された温風が接触する貯水部１０に水槽８Ａと連通させて表面を水で覆っていることにより、貯水部１０の温度上昇が緩和されて安全性を確保することができるとともに、貯水部１０の表面を下げることにより表面に水を満たしているので、通風流路面積が大きくなり加湿量の増加を図ることができる。
【００１９】
また、貯水部１０の加湿部７寄りに貯水部１０内の水が温風の気流により移動するのを抑制するリブ１１を設けたので、リブ１１により、風圧及び気流によって水が移動するのがせき止められ、安定した水位を確保することができ、貯水部１０の異常な温度上昇が緩和され安全性が高められる。
【００２０】
（参考例１）
図７に示すように、ヒーター６Ａの上流側に設けられる上流側温度過昇装置１２と、ヒーター６Ａの下流側側方に設けられる下流側温度過昇防止装置１３とを設け構成する。
【００２１】
上記構成において、気化式加湿機が運転されているとき、風量が徐々に低下したような場合には、弱い気流が矢印のように流れ、ヒーター６Ａからの上昇気流を下流側温度過昇防止装置１３が受け、上昇気流の温度が設定温度より高くなると、下流側温度過昇防止装置１３が作動して気化式加湿機の運転が停止されることとなる。
【００２２】
また、気化式加湿機の風量が少ない状態でも運転中は気流が矢印のように流れることにより、上流側温度過昇防止装置１２には高温の気体が接触することなく、下流側温度過昇防止装置１３側が主体となって作動することとなる。
【００２３】
次に、送風機（図示せず）等の故障によりヒーター６Ａに流れる気流が無くなると、ヒーター６Ａの上流側において、上流側温度過昇防止装置１２がヒーター６Ａにより加熱されることになり、上流側温度過昇防止装置１２が作動して気化式加湿機の運転が停止されることとなる。
【００２４】
このような温度過昇防止装置の作動について上流側と下流側を比較して（表１）に示している。
【００２５】
【表１】
0004832674.tif 000002
【００２６】
このように本発明の実施例３の気化式加湿機によれば、ヒーター６Ａの上流側に設けられる上流側温度過昇防止装置１２と、ヒーター６Ａの下流側側方に設けられる下流側温度過昇防止装置１３とを設けたので、風量が徐々に低下した場合、ヒーター６Ａの下流側に温度の高い温風が流れるとともに、ヒーター６Ａの周囲の空気流が減少することとなり、下流側温度過昇防止装置１３に温風が上昇気流となって接触し、下流側温度過昇防止装置１３が作動し、本体の温度上昇を防ぐことができ、また、風量が全く無くなった状態では、ヒーター６Ａからの熱を上流側温度過昇防止装置１２が受け作動し、気化式加湿機の運転が停止されることとなるので、異常時には確実に気化式加湿機の運転を停止することができ、火災等の発生を防止し、安全性を高めることができる。
【００２７】
（参考例２）
図８及び図９に示すように、加湿部７に案内部１４を介して送る空気流を撹拌するように気流が衝突する衝突片１５を設け、気流の撹拌手段１６を形成し構成する。
【００２８】
上記構成において、ヒーター６内を通り加熱された高温空気と、ヒーター６の４周を通った低温空気が案内部１４に送られ、撹拌手段１６に衝突することにより撹拌されて混合し、温度むらの少ない空気流となって加湿部７に送風され加湿されることとなる。
【００２９】
このように本発明の実施例４の気化式加湿機によれば、加湿部７に案内部１４を介して空気流を撹拌する撹拌手段１６を設けたので、ヒーター６内を通り加熱された高温空気と、ヒーター６の４周を通った低温空気が案内部１４に送られ、撹拌手段１６により混合され温度むらの少ない空気流となって加湿部７に送られることにより、加湿効率が向上するとともに、高温空気が混合により適当な温度となることにより、加湿部７の耐久性も向上することができる。
【００３０】
（参考例３）
図１０〜図１５に示すように、吹出口２Ａの長手方向の対向する内面に直線的な開口溝１７ａと円形溝１７ｂを一体的に形成した略しやし状の受部１７と円形溝１７ｂの中央に支点用突部１８を設け、円形溝１７ｂの下方には中央位置で支持する中央支持溝１９を設け、吹出口２Ａに装着される縦長方向に風向板２０ａを設けた風向ルーバー２０には、吹出口２Ａに設けた受部１７に設けられた支点用突部１８が弾性係合する係合溝２１を設けた係合部２２を開口溝１７ａから挿脱自在で円形溝１７ｂ内で回動自在となる形状に形成し、係合部２２の下部に中央支持溝１９に係合する係合子２３を設け、左右に切り替え可能で中央部において支持される風向ルーバー２０を吹出口２Ａに着脱自在に設けた構成とする。
【００３１】
上記構成において、風向ルーバー２０を吹出口２Ａに取り付けるときには、風向ルーバー２０の係合部２２を吹出口２Ａに設けた受部１７の開口溝１７ａより挿入し、支点用突部１８に係合溝２１を弾性係合し、風向ルーバー２０を左右に切り替え自在となるように回動自在に設け、風向ルーバー２０を中央部で支持するときには風向ルーバー２０に設けた係合子２３を吹出口２Ａの中央支持溝１９に係合することにより風向ルーバー２０を中央部で支持することができる。
【００３２】
そして、風向ルーバー２０を取り外して風向ルーバー２０を清掃したり、他の風向ルーバー（図示せず）と交換するときには、風向ルーバー２０の係合溝２１を吹出口２Ａに設けた支点用突部１８より弾性力を利用して取り外し、風向ルーバー２０の係合部２２を吹出口２Ａの受部１７の開口溝１７ａより抜き去り風向ルーバー２０を取り外せることとなる。
【００３３】
このように本発明の実施例５の気化式加湿機によれば、吹出口２Ａには支点用突部１８を有した受部１７及び中央支持溝１９を設け、風向ルーバー２０には係合溝２１を有した係合部２２及び係合子２３を設け、左右に切り替え可能で、中央部において支持される風向ルーバー２０を吹出口２Ａに着脱自在に設けたので、風向ルーバー２０は左右端及び中央部で支持することができ、また、風向ルーバー２０を取り外して清掃することができるとともに、他の風向ルーバーと交換が可能となり、種類の異なる風向ルーバーが使用できることにより使い勝手を良くすることができ、利用範囲を拡げることができる。
【００３７】
【発明の効果】
以上の実施例から明らかなように、本発明によれば吸込口から吸気して吹出口に送風する空気流路に送風機を設けた本体と、この本体の空気流路に設けられるヒーター及び加湿部とを備え、前記空気流路に設けられる前記ヒーターに前記送風機により前記吸込口から吸い込まれた空気が上から下方向に送られ、前記ヒーターの上流側の前記ヒーター上部に設けられる上流側温度過昇防止装置と、前記ヒーターの下流側の前記ヒーター下部の側方に設けられる下流側温度過昇防止装置とを設けたので、風量が徐々に低下したような場合には、ヒーターからの上昇気流を下流側温度過昇防止装置が受け、上昇気流の温度が設定温度より高くなると、下流側温度過昇防止装置が作動し、気化式加湿機の風量が少ない状態でも上流側温度過昇防止装置には高温の気体が接触することなく、下流側温度過昇防止装置側が主体となって作動し、送風機等の故障によりヒーターに流れる気流が無くなると、ヒーターの上流側において、上流側温度過昇防止装置がヒーターにより加熱されることになり、上流側温度過昇防止装置が作動して気化式加湿機の運転が停止されることとなり、異常時には確実に気化式加湿機の運転を停止することができ、火災等の発生を防止し、安全性が高められるとともに、加湿空気温度を高くすることができ室内温度の低下がまぬがれ環境の悪化するのが防止できる気化式加湿機を提供できる。
【図面の簡単な説明】
【図１】  前提例１の気化式加湿機の断面図
【図２】  同気化式加湿機の斜視図
【図３】  本発明の実施例１の気化式加湿機の断面図
【図４】  同気化式加湿機の水槽部分の斜視図
【図５】  同気化式加湿機の水槽に加湿部を装着した状態を示す斜視図
【図６】  同気化式加湿機の貯水部の水位の変化を示す断面図
【図７】  参考例１の気化式加湿機のヒーター近傍の状態を示す側面図
【図８】  参考例２の気化式加湿機の断面図
【図９】  同気化式加湿機の撹拌手段の構成を示す斜視図
【図１０】  参考例３の気化式加湿機の吹出口部分を示す斜視図
【図１１】  同気化式加湿機の受部の構成を示す拡大図
【図１２】  同気化式加湿機の風向ルーバーの斜視図
【図１３】  同気化式加湿機の係合部の構成を示す拡大図
【図１４】  同気化式加湿機の風向ルーバーを中央で支持した状態を示す断面図
【図１５】  同気化式加湿機の風向ルーバーを傾けた状態を示す断面図
【図１６】  従来の気化式加湿機の断面図
【符号の説明】
１    吸込口
２    吹出口
２Ａ  吹出口
３    空気流路
４    送風機
５    本体
６    ヒーター
６Ａ  ヒーター
７    加湿部
８Ａ  水槽
１０  貯水部
１１  リブ
１２  上流側温度過昇防止装置
１３  下流側温度過昇防止装置
１６  撹拌手段
１７  受部
１８  支点用突部
１９  中央支持溝
２０  風向ルーバー
２１  係合溝
２２  係合部
２３  係合子
【図１】
0004832674.tif 000003
【図２】
0004832674.tif 000004
【図３】
0004832674.tif 000005
【図４】
0004832674.tif 000006
【図５】
0004832674.tif 000007
【図６】
0004832674.tif 000008
【図７】
0004832674.tif 000009
【図８】
0004832674.tif 000010
【図９】
0004832674.tif 000011
【図１０】
0004832674.tif 000012
【図１１】
0004832674.tif 000013
【図１２】
0004832674.tif 000014
【図１３】
0004832674.tif 000015
【図１４】
0004832674.tif 000016
【図１５】
0004832674.tif 000017
【図１６】
0004832674.tif 000018